(57)【特許請求の範囲】
【請求項１】
物干し竿に嵌合し、外周の一部を切欠いた状態の形状を有する開口部と該開口部の両端に指掛け用の突起部を有する弾性体からなる円筒形状で物干し竿の外径より大きな内径を有する移動体とその外周部にひとつの洗濯バサミを吊り下げた洗濯バサミユニットと、撓みやすい布または樹脂からなり厚みより大きな幅寸法を有しねじで該移動体に固定した連結帯と、物干し竿に固定するための両端のクリップと、からなり洗濯バサミユニットが複数個連結帯で連結されたことを特徴とする物干し用洗濯バサミ。
【請求項２】
開口部および突起部を有しない略円筒状またはリング状の移動体で構成することを特徴とする請求項１に記載の物干し竿用洗濯ハサミ。
【発明の詳細な説明】
【技術分野】
【０００１】
本発明は、市販の物干し竿に直接取り付けて使用する洗濯ハサミに関する。
【背景技術】
【０００２】
従来、洗濯物を干す場合、洗濯バサミ付ハンガーの洗濯バサミに洗濯物をはさみ、該ハンガーを物干し竿に吊るして行う方式が一般的であるが、洗濯バサミを直接物干し竿に取り付ける方式の下記文献が公表されている。
【０００３】
文献１では、複数個の洗濯バサミを専用の物干し竿内部で連結し、長手方向に移動可能に吊り下げた、洗濯バサミ付物干し竿が公開されている。
【０００４】
文献２では、洗濯バサミとハンガー吊持用パイプを取り付けた弾性体のコイルを、物干し竿に嵌合した構成の、洗濯物干しハンガー掛けが登録されている。
【０００５】
さらに、類似分野として、物干し竿に移動可能に嵌合した複数のリング状の部材を連結し、該部材にハンガーを吊り下げる特許文献３の洗濯物干し竿用衣類のハンガー掛け具や、文献４のハンガー吊下用具が公表されている。
【先行技術文献】
【特許文献】
【０００６】
【特許文献１】公開実用新案公報  昭６１−１６０８９２
【特許文献２】実用新案登録第３１１４５４４号
【特許文献３】登録番号第３０５２９２１号
【特許文献４】特開２００１−３２１５９３
【発明の概要】
【発明が解決しようとする課題】
【０００７】
従来、洗濯物は一般的な物干しハンガーである洗濯バサミ付ハンガーに取り付け、該ハンガーを物干し竿に吊り下げて干しているが、強い風があるときなど吊り下げたハンガー
が大きく揺れて互いに衝突したり、物干し竿上を移動したり、時には落下する恐れがあるため、該ハンガーをクリップ等で物干し竿に固定する必要がある。
【０００８】
また、洗濯物を取り込んだ後は、天候による劣化や汚れ、強い風による落下および見栄えの問題等のため、使用したハンガーを物干し竿から外して適切な場所に収納しておき、次に使用する場合は再度取り出すという煩わしさがあり、その時ハンガー同志の洗濯バサミの絡まりが煩わしさに追い打ちをかけていた。
【０００９】
前述の問題点の対策として、洗濯バサミを直接物干し竿に取り付ける方式とした特許文献１が公報されているが、該文献の物干し竿は専用のもので、洗濯バサミと一体で購入するため高価なものになる。
【００１０】
また、特許文献２は、複数の洗濯バサミを取り付けた弾性体のコイルを物干し竿に嵌合して使用する方式であるが、該コイルは伸縮性あるため、引き伸ばすときに力を抜くと縮んで戻ってしまうため扱いにくいという問題がある。
【００１１】
従って本発明は、上記問題点を改善するため、物干しハンガーを使用せず、安価で取り扱い易く、洗濯物が強い風であおられても移動することのない物干し竿用洗濯バサミを提供する。
【課題を解決するための手段】
【００１２】
略円筒状の移動体と、該移動体の外周部に固定したリングと、該リングに吊るした吊るし部材と、該吊るし部材に取り付けた洗濯バサミとから成る複数の洗濯バサミユニットを連結体で一連に連結し、物干し竿に移動可能に嵌合した構成で、該物干し竿に常設とし、劣化、汚れを防止するための保護カバー等が取り付け可能である。
【００１３】
上記構成において、洗濯物を乾すときは一端の洗濯バサミの脇に、クリップを物干し竿に取り付け、反対側のもう一端の洗濯バサミユニットを物干し竿の長手方向に引っ張って張り、前記同様引っ張った洗濯バサミユニットの脇にもう一つのクリップを取り付けることによって、両クリップ間で連結帯が張られた状態となり各洗濯バサミユニットが固定される。
【００１４】
洗濯物を取り込んだ後は前記クリップを外して、各洗濯バサミを畳み込んで密着させて取り付け専有スペースを小さくし、保護カバーを取り付ける。
【発明の効果】
【００１５】
連結帯が張られた状態で両端をクリップで固定されるので、該連結帯で連結された各洗濯バサミユニットも確実にその位置が保持され、強い風によっても洗濯物が移動して片寄ることがない。
【００１６】
本発明は、物干し竿に常設であって、物干しハンガーを使用することなく洗濯物を直接物干し竿に取り付けるため、前述したようにハンガーの収納場所が不要であり、かつ該収納場所への収納や取り出しといった煩わしさから解放される。
【００１７】
洗濯物の取り込み後は、各洗濯バサミユニットを畳み込んで密着し専有スペースを小さくできるので見栄えが良く、かつ簡単に身近なもので覆って保護カバーとすることが出来、天候による劣化や汚れを防ぐことも可能である。
【図面の簡単な説明】
【００１８】
【図１】本発明による実施の形態１の洗濯バサミユニットの斜視図。
【図２】図１の右側面図。
【図３】本発明による実施の形態１の洗濯バサミユニットを物干し竿に取り付ける際の説明図
【図４】本発明による実施の形態１の連結帯をいっぱいに張った時の斜視図。
【図５】本発明による実施の形態１の連結帯を畳んで各洗濯バサミユニット同志を密着させた斜視図。
【図６】本発明による実施の形態１の物干し竿用洗濯バサミを使用し洗濯物を干している実施例の斜視図。
【図７】本発明による実施の形態Ｉの物干し竿用洗濯バサミを畳んで保護カバーを取り付けた斜視図。
【図８】本発明による実施の形態２の洗濯バサミユニットの斜視図。
【発明を実施するための形態】
【実施例】
【００１９】
（実施の形態１）
図１は本発明による実施の形態１に係る洗濯バサミユニット１の斜視図であり、図２は図１に示した洗濯バサミユニット１の右側面図で、洗濯バサミユニット１は物干し竿８に嵌合する移動体２と、該移動体２の外周部に固定したリング６と、該リング６に吊り下げた吊るし部材７および該吊るし部材７に吊り下げた洗濯バサミ５とからなり、本発明の物干し竿用洗濯バサミは、前記複数個の洗濯バサミユニット１を、図４に示すように連結帯９で、ある間隔をもって一連に連結して構成されており、洗濯物取り込み後は図５に示すように各洗濯バサミユニット１を畳み込んで密着させて専有スペースを小さくする。
【００２０】
各部について詳細に説明すると、移動体２は略円筒状の弾性体で耐候性のある樹脂または金属性の材質を有し、外周の一部を切り離して開口部３を設け、該開口部３の上下の縁に突起部４を有したことを特徴とし、物干し竿８に嵌合する内径は、物干し竿８の外径より若干大きくしてあるため嵌合した状態で、物干し竿８の長手方向に移動可能であり、前記開口部３の開口幅は物干し竿の外径より若干狭く、かつ移動体２の弾性強度との関係を考慮して、洗濯バサミ５に吊るした洗濯物が強い風に煽られても移動体２が物干し竿８から抜け出ない寸法となっており、開口位置は図２に示すように水平位置より下向きで、物干し竿８に取り付ける際には図３に示すように矢印１２の方向に力を加え該開口部３を押し広げながら物干し竿に差し込んで嵌合させる。    
【００２１】
開口部３の上下の縁に設けた突起部４の役割は、移動体２を物干し竿８に差し込む際の案内と、洗浄等の目的で洗濯バサミユニット１を物干し竿から外す際に開口部３を押し広げる時、該突起部４に指をかけて広げ易くすることにある。
【００２２】
吊り部材７は市販品で帯状の金属板を曲げ加工したもので、加工の始端と終端部を重ね合わせた位置で、板のばね性を利用した開閉部が生成されており、リング６への本吊り部材７の取り付けおよび洗濯バサミ５の本吊り部材７への取り付けは本開閉部で自由に行うことが出来る。
【００２３】
図４は物干し竿に本発明による物干し竿用洗濯バサミを取り付けて、連結帯９をいっぱいに張った状態を示し、該連結帯９は耐候性を有しかつ撓み易い布または樹脂性の材質でリボン状をしており、市販品でねじ部を有するリング６をねじ込むことにより移動体２の下部に固定され、各洗濯バサミユニット１が一連に連結されるが、連結帯９の固定位置は移動帯２の下部に限らず上部、その他の位置でもよい。
【００２４】
連結帯９は帯状のため、各洗濯バサミユニット１を畳み込んで密着させる時、各洗濯バサミユニット間で該連結帯が素直に織り込まれるため、ひも状のものに比べて洗濯バサミ５に絡まりにくい。
【００２５】
図6は、二本の平行に設置した物干し竿８に、それぞれ取り付けた本発明の物干し竿用洗濯バサミをいっぱいに張り、両端をクリップ１０で固定し洗濯バサミ５に洗濯物１１を吊るして干している状態を示す一使用例で、図7は洗濯物１１を取り込んだ後クリップ１０を外し本発明の物干し竿用洗濯バサミを畳み込んで各移動体２を密着して取り付けスペースを小さくし、天候による劣化、汚れ等を少なくするため、保護カバー１３を取り付けた状態を示す。
【００２６】
（実施の形態２）
図8は本発明による実施の形態２に係る洗濯バサミユニット１４の斜視図であり該洗濯バサミユニット１４は移動体１５を有し、実施の形態１との相違点は、移動体２の有する開口部３と突起部４とを有しない略円筒形状の移動体１５であり、その内径寸法は物干し竿の外径寸法より大きければ良く、実施の形態１の移動体２のように物干し竿の外径寸法に大きく左右されないという特徴を有するが、物干し竿８に嵌合させる場合には物干し竿８の端から移動体１５を順次差し込む必要がある。
【符号の説明】
【００２７】
１  洗濯バサミユニット（実施の形態１）
２  移動体（実施の形態１）
３  開口部
４  突起部
５  洗濯バサミ
６  リング
８  物干し竿
９  連結帯
１０クリップ
１３保護カバー
１４洗濯バサミユニット（実施の形態２）
１５移動体（実施の形態２）
【要約】
【課題】
物干し竿に直接取り付け、物干しハンガーを使用することなく、洗濯物が容易に取り付け可能で、強い風によっても洗濯物が片寄らず、取り込み後は畳み込んで取り付けスペースを小さくできる物干し竿用洗濯ハサミを提供する。
【解決手段】
略円筒状の移動体２と、その外周部に固定したリング６と、該リングに吊るし、取り付け取り外し用の開閉部をもった吊るし部材７、および該吊るし部材７に取り付けた洗濯ハサミ５とから成る複数個の洗濯ハサミユニット１を、連結帯９で一連に連結し、物干し竿８に移動可能に嵌合した構成で、常設とする。
【選択図】  図４【図１】
0005885278.tif 000002
【図２】
0005885278.tif 000003
【図３】
0005885278.tif 000004
【図４】
0005885278.tif 000005
【図５】
0005885278.tif 000006
【図６】
0005885278.tif 000007
【図７】
0005885278.tif 000008
【図８】
0005885278.tif 000009